Podtech/llm-jp-corpus-v4-ja_patent huggingface dataset:
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
フォーカスレンズを用いて結像された被写体像を電気信号に変換する光電変換手段と、
前記光電変換手段の出力信号から特定周波数帯域の信号成分を抽出する抽出手段と、
撮影シーンの状態を検出する状態検出手段と、
撮影準備前に前記フォーカスレンズを移動させると共に、前記光電変換手段の設定された焦点検出領域における前記抽出手段の出力信号を前記フォーカスレンズの位置と関連づけて取得するＡＦスキャン動作を行って、合焦すべき被写体領域を特定する第１の動作を行い、撮影準備時に、前記ＡＦスキャン動作を行って合焦動作を実施して、前記第１の動作とは異なる第２の動作を行う制御手段と、を有し、
前記制御手段は、撮影準備前において、前記状態検出手段により撮影シーンの状態の変化が検出された場合に、前記第１の動作を実施することを特徴とする焦点調節装置。
【請求項２】
前記状態検出手段は、前記光電変換された被写体像の動きベクトルを検出することを特徴とする請求項１に記載の焦点調節装置。
【請求項３】
前記状態検出手段は、当該焦点調節装置の角速度を検出することを特徴とする請求項１に記載の焦点調節装置。
【請求項４】
前記状態検出手段は、当該焦点調節装置の加速度を検出することを特徴とする請求項１に記載の焦点調節装置。
【請求項５】
前記状態検出手段は、当該焦点調節装置の角度を検出することを特徴とする請求項１に記載の焦点調節装置。
【請求項６】
前記状態検出手段は、前記光電変換された被写体像の輝度を検出することを特徴とする請求項１に記載の焦点調節装置。
【請求項７】
前記状態検出手段は、前記光電変換された被写体像の顔を検出することを特徴とする請求項１に記載の焦点調節装置。
【請求項８】
前記状態検出手段は、前記光電変換された被写体像の色情報を検出することを特徴とする請求項１に記載の焦点調節装置。
【請求項９】
フォーカスレンズを用いて結像された被写体像を電気信号に変換する光電変換手段と、前記光電変換手段の出力信号から特定周波数帯域の信号成分を抽出する抽出手段と、前記抽出手段により得られた特定周波数帯域の信号成分に基づいて前記フォーカスレンズの移動を制御する制御手段とを有する撮像装置における焦点調節方法であって、
撮影シーンの状態を検出する第１の工程と、
撮影準備前に、前記フォーカスレンズを移動させると共に、設定された焦点検出領域における前記抽出手段の出力信号を前記フォーカスレンズの位置と関連づけて取得するＡＦスキャン動作を行って、合焦すべき被写体領域を特定する第１の動作を実施する第２の工程と、
撮影準備時に、前記ＡＦスキャン動作を行い合焦動作を実施して、前記第１の動作と異なる第２の動作を実施する第３の工程と、を含み、
前記第１の工程において前記撮影シーンの状態の変化が検出された場合に、前記第１の工程の後に前記第２の工程を実施することを特徴とする焦点調節方法。
【手続補正２】
【補正対象書類名】明細書
【補正対象項目名】０００９
【補正方法】変更
【補正の内容】
【０００９】
上記課題に鑑み、本発明の技術的特徴としては、フォーカスレンズを用いて結像された被写体像を電気信号に変換する光電変換手段と、前記光電変換手段の出力信号から特定周波数帯域の信号成分を抽出する抽出手段と、前記抽出手段により得られた特定周波数帯域の信号成分に基づいて前記フォーカスレンズの移動を制御する制御手段とを有する撮像装置における焦点調節方法であって、撮影シーンの状態を検出する第１の工程と、撮影準備前に、前記フォーカスレンズを移動させると共に、設定された焦点検出領域における前記抽出手段の出力信号を前記フォーカスレンズの位置と関連づけて取得するＡＦスキャン動作を行って、合焦すべき被写体領域を特定する第１の動作を実施する第２の工程と、撮影準備時に、前記ＡＦスキャン動作を行い合焦動作を実施して、前記第１の動作と異なる第２の動作を実施する第３の工程と、を含み、前記第１の工程において前記撮影シーンの状態の変化が検出された場合に、前記第１の工程の後に前記第２の工程を実施することを特徴とする。
【手続補正３】
【補正対象書類名】明細書
【補正対象項目名】００１２
【補正方法】変更
【補正の内容】
【００１２】
本発明の実施の形態について説明する。
本発明の装置及び方法において重要なことは、次の点である。撮影準備前に前記ＡＦスキャン動作を行って合焦すべき被写体領域を特定する第１の動作を行うが、撮影準備前において、撮影シーンの状態の変化が検出された場合に、その後に第１の動作を実施することである。
【手続補正４】
【補正対象書類名】明細書
【補正対象項目名】００１４
【補正方法】変更
【補正の内容】
【００１４】
制御手段は、フォーカスレンズを移動させると共に、光電変換手段の設定された焦点検出領域における抽出手段の出力信号をフォーカスレンズの位置と関連づけて取得するＡＦスキャン動作を行うことができる。また、制御手段は、前記取得した前記抽出手段の出力信号に基づいてフォーカスレンズをその駆動手段を介して制御して合焦動作を行うことができる。そして、制御手段は、撮影準備前に前記ＡＦスキャン動作を行って合焦すべき被写体領域を特定する第１の動作を行う。また、制御手段は、撮影準備時に、前記ＡＦスキャン動作を行い合焦動作を実施して、第１の動作と異なる第２の動作を行う。更に、制御手段は、撮影準備前において、前記状態検出手段により撮影シーンの状態の変化が検出された場合に、その後に前記第１の動作を実施する。
【手続補正５】
【補正対象書類名】明細書
【補正対象項目名】００１５
【補正方法】変更
【補正の内容】
【００１５】
また、焦点調節方法は、上記の如き手段を有する撮像装置における焦点調節方法であって、次の第１の工程乃至第３の工程を含む。第１の工程では、撮影シーンの状態を検出する。第２の工程では、撮影準備前に、フォーカスレンズを移動させると共に、設定手段などで設定された焦点検出領域における抽出手段の出力信号をフォーカスレンズの位置と関連づけて取得するＡＦスキャン動作を行う。そして、合焦すべき被写体領域を特定する第１の動作を実施する。第３の工程では、撮影準備時に、前記ＡＦスキャン動作を行い合焦動作を実施して、前記第１の動作と異なる第２の動作を実施する。第１の工程において前記撮影シーンの状態の変化が検出された場合に、第１の工程の後に第２の工程を実施する。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
ティルト機構を有する撮像光学系と、該撮像光学系によって形成される像を光電変換する撮像手段を収納したカメラ本体とを有する撮像装置において、該撮像光学系は該カメラ本体に固定又は着脱可能に装着されており、
該撮像手段の撮像範囲の長辺方向の長さをＩｍｈ、
該撮像光学系のティルト中心位置から該撮像手段の撮像面までの距離をＴｃｅｎ、該撮像光学系の焦点距離をｆ、
該撮像手段の撮像面から最至近距離物体までの距離をｄｍｉｎ、
該撮像光学系の前側主点位置から該撮像手段の撮像面までの距離をＨＦ、該撮像光学系の最大ティルト角をθ（度）
とするとき
０．９＜Ｔｃｅｎ／ｆ＜１．６
０．７５＜（ｄｍｉｎ−ｆ−ＨＦ）・Ｉｍｈ・ｔａｎθ／２ｆ２＜１．２０
なる条件を満足することを特徴とする撮像装置。
【請求項２】
前記撮像光学系の後側主点位置が最も撮像面側のレンズ面よりも撮像面側に位置していることを特徴とする請求項１に記載の撮像装置。
【請求項３】
前記撮像面から最も撮像面側のレンズ面までの距離が、前記撮像面から前記撮像光学系の後側主点位置までの距離の２倍以上であることを特徴とする請求項２に記載の撮像装置。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、絞り、正の屈折力の第３レンズ群より構成され、無限遠から至近距離へのフォーカシングに際して、前記第３レンズ群が物体側に移動し、前記第２レンズ群が像側に移動し、物体距離が最至近距離であるときの前記第２レンズ群の結像倍率をβ２Ｎとしたとき、
β２Ｎ＞１
なる条件を満足することを特徴とする撮影レンズ。
【請求項２】
フォーカシングのために前記第２レンズ群を移動させる移動機構と、前記第２レンズ群を保持する保持機構とが、前記第２レンズ群の最も物体側のレンズ面よりも物体側で接続されており、フォーカシングのために前記第３レンズ群を移動させる移動機構と、前記第３レンズ群を保持する保持機構とが、前記第３レンズ群の最も物体側のレンズ面よりも物体側で接続されていることを特徴とする請求項１に記載の撮影レンズ。
【請求項３】
前記第１レンズ群、前記第２レンズ群、前記第３レンズ群の焦点距離をそれぞれｆ１、ｆ２、ｆ３とし、全系の焦点距離をｆとし、前記第３レンズ群の最も像側のレンズ面から像面までの距離をｂｆとするとき、
ｂｆ／ｆ＞２．０
０．５＜│ｆ１／ｆ│＜２．０
２．０＜ｆ２／ｆ＜６．０
２．０＜│ｆ３／ｆ│＜６．０
なる条件式を満足することを特徴とする請求項１または２に記載の撮影レンズ。
【請求項４】
第３レンズ群の移動量に対する第２レンズ群の移動量が、無限遠よりも至近距離で大きいことを特徴とする請求項１乃至３のいずれか１項に記載の撮影レンズ。
【請求項５】
請求項１乃至４のいずれか１項に記載の撮影レンズを有することを特徴とする撮像装置。
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
物体側より像側へ順に、物体側の面が凸形状、像側の面が非球面形状で全体としてメニスカス形状の負の第１レンズ、負の第２レンズ、負の第３レンズを有し、全系の焦点距離をｆ、第１レンズの焦点距離をｆ１、第２レンズの物体側と像側のレンズ面の曲率半径を各々Ｇ２Ｒ１、Ｇ２Ｒ２とするとき
−１．６＜ｆ１／ｆ＜−１．２
０．１＜（Ｇ２Ｒ１−Ｇ２Ｒ２）／（Ｇ２Ｒ１＋Ｇ２Ｒ２）＜０．５
なる条件を満足することを特徴とする光学系。
【請求項２】
物体側から像側へ順に、第１レンズ群、開口絞り、正の屈折力の第２レンズ群を有し、前記第１レンズ群は、負の屈折力の第１ａレンズ群と正の屈折力の第１ｂレンズ群より構成され、該第１ａレンズ群は物体側より像側へ順に、物体側の面が凸形状、像側の面が非球面形状で全体としてメニスカス形状の負の第１レンズ、負の第２レンズ、負の第３レンズより構成され、全系の焦点距離をｆ、第１レンズの焦点距離をｆ１、第２レンズの物体側と像側のレンズ面の曲率半径を各々Ｇ２Ｒ１、Ｇ２Ｒ２とするとき
−１．６＜ｆ１／ｆ＜−１．２
０．１＜（Ｇ２Ｒ１−Ｇ２Ｒ２）／（Ｇ２Ｒ１＋Ｇ２Ｒ２）＜０．５
なる条件を満足することを特徴とする光学系。
【請求項３】
前記第２レンズの焦点距離をｆ２とするとき、
０．３＜ｆ１／ｆ２＜０．８
なる条件を満足することを特徴とする請求項１又は２に記載の光学系。
【請求項４】
前記第１、第２、第３レンズの合成焦点距離をｆ１３とするとき、
−０．７  ＜  ｆ１３／ｆ  ＜  −０．３
なる条件を満足することを特徴とする請求項１乃至３のいずれか１項に記載の光学系。
【請求項５】
前記第１、第２、第３レンズのうち、少なくとも１つのレンズの材料のアッベ数と部分分散比を各々νｄ、θｇＦとするとき
０．０１６＜θｇＦ−（０．６４３８−０．００１６８２×νｄ）
なる条件を満足することを特徴とする請求項１乃至４のいずれか１項に記載の光学系。
【請求項６】
光電変換素子に像を形成することを特徴とする請求項１乃至５のいずれか１項に記載の光学系。
【請求項７】
請求項１乃至６のいずれか１項の光学系と、該光学系によって形成される像を受光する光電変換素子とを備えることを特徴とする撮像装置。
【手続補正２】
【補正対象書類名】明細書
【補正対象項目名】００２５
【補正方法】変更
【補正の内容】
【００２５】
０．４３＜ｆ１／ｆ２＜０．６９    ‥‥‥（３ａ）
条件式（４）は第１レンズＧ１から第３レンズＧ３までの合成焦点距離と全系の焦点距離との比に関する。条件式（４）は、レトロフォーカスタイプの光学系における負の屈折力の第１ａレンズ群Ｌ１ａに相当する部分の負の屈折力を適切に設定することで長いバックフォーカスの確保と光学性能のバランスをとるための条件である。条件式（４）の上限を超えると、第１レンズＧ１から第３レンズＧ３までの負の合成屈折力が強くなりすぎて、コマ収差や像面湾曲などの収差が増大するため好ましくない。また、下限を超えると、第１レンズＧ１から第３レンズＧ３までの負の合成屈折力が弱くなりすぎて、長いバックフォーカスを確保することが困難となるため好ましくない。また、収差補正及び長いバックフォーカスを得るのに更に好ましくは、条件式（４）の数値範囲を次の如く設定することが望ましい。
【手続補正３】
【補正対象書類名】明細書
【補正対象項目名】００２７
【補正方法】変更
【補正の内容】
【００２７】
０．０２＜θｇＦ−（０．６４３８−０．００１６８２×νｄ）  ‥‥‥（５ａ）
次に実施例１〜４に示した光学系を撮像装置に適用した実施例を図９を用いて説明する。図９は一眼レフカメラの要部概略図である。図９において、１０は実施例１〜４の光学系１を有する撮影光学系である。光学系１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮影光学系１０からの光束を上方に反射する。焦点板４は撮影光学系１０の像形成位置に配置されている。ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮影光学系１０によって像側形成される。尚、本発明の光学系は、デジタルカメラ・ビデオカメラ・銀塩フィルム用カメラ等の他に望遠鏡、双眼鏡、複写機、プロジェクター等の光学機器にも適用できる。
(57)【要約】      （修正有）【課題】ケーキの出し入れが容易で、移送中にケーキ同士がぶつかったりせず、ケーキ類が倒れたり、崩れたりしないケーキ類包装箱を提供する。【解決手段】包装箱本体１の底面にスライド自在に出し入れできるスライドプレート２の表面部に、粘着剤を間隔をあけて塗布し、該スライドプレートの表面部に複数のケーキ類を載置した個別トレーを仮粘着できるように構成し、スライドプレートの出し入れ操作においてスライドプレートの前方の立ち上り部をおさえて引きだし又は挿入するように構成し、かつ、包装箱背面部１５又は包装箱前面部１１とスライドプレートの立ち上り部との間に保冷材５を載置できるように構成したことを特徴とする。【選択図】図２
0003166178.tif 000002
【実用新案登録請求の範囲】
【請求項１】
包装箱本体の底面にスライド自在に出し入れできるスライドプレートの表面部に、粘着剤を間隔をあけて塗布し、該スライドプレートの表面部に複数のケーキ類を載置した個別トレーを仮粘着できるように構成したことを特徴とするケーキ類包装箱。
【請求項２】
スライドプレートの出し入れ操作において、スライドプレートの前方の立ち上り部をおさえて引きだし又は挿入するように構成したことを特徴とする請求項１記載のケーキ類包装箱。
【請求項３】
包装箱背面部又は包装箱前面部とスライドプレートの立ち上り部との間に保冷材を載置できるように構成したことを特徴とする請求項１記載のケーキ類包装箱。
【考案の詳細な説明】
【技術分野】
【０００１】  本考案はケーキ類包装箱に関し、特にケーキの出し入れが容易で、移送中にケーキ同士がぶつかったりせず、ケーキ類が倒れたり、崩れたりしないケーキ類包装箱に関する。
【背景技術】
【０００２】  紙箱の上面や前面を開放できるように構成されているケーキ等の包装をする組立紙箱が種々考案されており、登録実用新案第３０００８５９号公報や登録実用新案第３０３７０８４号公報が発行されている。
【先行技術文献】
【０００３】
【特許文献１】  登録実用新案第３０００８５９号公報
【特許文献２】  登録実用新案第３０３７０８４号公報
【考案の概要】
【考案が解決しようとする課題】
【０００４】  引用文献１の登録実用新案第３０００８５９号公報では、上部のみを開放自在な紙箱からショートケーキを取出す際、紙箱の上面と一側面を開放できるようにし、ショートケーキを取出し易くするもので、側板の折り目に沿ってミシン目を設けて構成されている。【０００５】  また、引用文献２の登録実用新案第３０３７０８４号公報では、底面に連設した側壁の両端の折線にミシン目を設け、ミシン目を容易に切り離すことにより側壁を開放可能とするものであった。【０００６】  従って、ミシン目から側壁を手先で切り離す際に、ケーキ同士がぶつかったり、ケーキ類が倒れたり、崩れたりすることが生じてしまった。【０００７】  また、移送中においても、ケーキ同士がぶつかったり、ケーキ類が倒れたり、崩れたりすることが生じてしまった。
【課題を解決するための手段】
【０００７】  このような課題を解決するために鋭意研究の結果、本考案のケーキ類包装箱は、包装箱本体の底面にスライド自在に出し入れできるスライドプレートの表面部に、粘着剤を間隔をあけて塗布し、該スライドプレートの表面部に複数のケーキ類を載置した個別トレーを仮粘着できるように構成したことを特徴とし、スライドプレートの出し入れ操作においてスライドプレートの前方の立ち上り部をおさえて引きだし又は挿入するように構成したことを特徴とし、且つ、包装箱背面部又は包装箱前面部とスライドプレートの立ち上り部との間に保冷材を載置できるように構成したことを特徴とするケーキ類包装箱を提供する。
【考案の効果】
【０００８】  以上説明したような構成であるので、スライドプレートに個々のケーキを載置したトレーが粘着剤を介して軽く仮止めされているので、本考案のケーキ類包装箱は、特にケーキの出し入れが容易で、移送中にケーキ同士がぶつかったりせず、ケーキ類が倒れたり、崩れたりしないケーキ類包装箱を得ることができた。【０００９】  また、一部のケーキのみを取出して食する場合でも、スライドプレートの前方の立ち上り部をおさえて引きだし又は挿入するように構成されているので、隣のケーキにぶつけたりすることがなく、容易に取出すことができる。
【図面の簡単な説明】
【００１０】
【図１】  ケーキ類包装箱の全体斜視図である。
【図２】  ケーキ類包装箱の開放状態にした斜視図である。
【図３】  ケーキ類を載置した個別トレーをスライドプレートに並べた斜視図である。
【考案を実施するための最良の形態】
【００１１】  以下、図面に基づいて、本考案を実施するための形態を具体的に説明する。
本考案のケーキ類包装箱は、包装箱本体１の包装箱底面部１３にスライド自在に出し入れできるスライドプレート２の表面部２１に、粘着剤２２を間隔をあけて塗布し、該スライドプレート２の表面部２１に複数のケーキ４１，４２，４３，４４を載置した個別トレー３１，３２，３３，３４を仮粘着できるように構成されている。【００１２】  最初にケーキ類を包装箱本体中に収める場合、ケーキ４１，４２，４３，４４をそれぞれ個別トレー３１，３２，３３，３４に載せたものをスライドプレート２上に載置するとスライドプレート２の表面部２１に施された粘着剤２２に個別トレー３１，３２，３３，３４が軽く粘着されて横滑りしないようになる。【００１３】  これを図２に示す矢印Ａのように包装箱底面部１３上にスライドさせ載置する。そして引きだす場合は、図２に示す矢印Ｂのように包装箱底面部１３上よりにスライドさせてスライドプレートを引き出すことができる。【００１４】  これらの操作中、スライドプレート２の表面部２１に施された粘着剤２２に個別トレー３１，３２，３３，３４が軽く粘着されて横滑りしないようになっているので、特にケーキの出し入れが容易で、移送中にケーキ同士がぶつかったりせず、ケーキ類が倒れたり、崩れたりすることもない。【００１５】  粘着剤２２の粘着力は軽くトレーが保持される程度の弱い粘着力でよく、スライドプレート２の出し入れ時や移送中にトレーが滑って移動することがない程度の粘着力でよい。【００１６】  スライドプレート２の出し入れ操作において、スライドプレート２の前方の立ち上り部２４をおさえて引きだし又は挿入することができる。【００１７】  包装箱背面部１５又は包装箱前面部１１とスライドプレートの立ち上り部２３，２４との間に保冷材５を載置することができる。
【符号の説明】
【００１８】  １  包装箱本体
１１  包装箱前面部
１２  包装箱上面部
１３  包装箱底面部
１４  包装箱側面部
１５  包装箱背面部
２  スライドプレート
２１  表面部
２２  粘着剤
２３  立上がり部
２４  立ち上り部
３１  個別トレー
３２  個別トレー
３３  個別トレー
３４  個別トレー
４１  ケーキ
４２  ケーキ
４３  ケーキ
４４  ケーキ
５  保冷材
６  合せ部
７  孔部
８  挿入部
【図１】
0003166178.tif 000003
【図２】
0003166178.tif 000004
【図３】
0003166178.tif 000005
(57)【要約】      （修正有）【課題】永年の慣習により被り物をレンタルで使い回すことの不潔感の解消と、母から娘へそして孫へと続く「絆」を深める物品を提供する。【解決手段】花嫁衣装の中の白無垢には必ず使われる綿帽子が、レンタルであることから、衛生上個人が買い取るべきと考え、綿帽子に花嫁の名前、挙式日を刺繍し付加価値を付け、二次使用としてクリップ付きリボンを添えて、お宮参りにケープとして使えることで、母から娘にそして孫へと繋がる絆を深める物品となる。【選択図】図１
0003166147.tif 000002
【実用新案登録請求の範囲】
【請求項１】
花嫁の名前及び、挙式日を刺繍したことを特徴とする綿帽子。
【請求項２】
クリップを設けることにより、お宮参り用のケープとして使用できることを特徴とする、請求項１に記載の綿帽子。
【考案の詳細な説明】
【技術分野】
【０００１】本考案は花嫁衣装の白無垢に使われる綿帽子で、二次使用として新生児のお宮参りのケープに利用できるアイデア商品である。
【背景技術】
【０００２】花嫁衣装に使われる綿帽子は、花嫁衣装と共にレンタルされているが、被るものなのに、クリーニングするにしても、不衛生と思っていたが、永年の慣習であるため、花嫁に買わせることは難しかった。そこで、綿帽子を買い取ることを考え、綿帽子に娘の名前と挙式日を刺繍し、母から娘へ贈る「絆の綿帽子」を考案した。
二次使用としてお宮参りの時にケープとして使える。母から贈られた綿帽子を孫のお宮参りに使用できるまさに「絆の綿帽子」である。
【考案の概要】
【考案が解決しようとする課題】
【０００３】  永年の慣習により被り物をレンタルで使い回すことの不潔感の解消と、母から娘へそして孫へと続く「絆」を深める商品を提供することを課題とする。
【課題を解決するための手段】
【０００４】花嫁衣装の中の白無垢には必ず使われる綿帽子が、レンタルであることから、衛生上個人が買い取るべきと考えたこと、綿帽子に花嫁の名前、挙式日を刺繍し付加価値を付け、二次使用としてクリップ付きリボンを添えて、お宮参りにケープとして使えることで、母から娘にそして孫へと繋がる絆を深める商品となる。
【考案の効果】
【０００５】「絆の綿帽子」は結婚式の進行において、親族紹介の時間前に「門出の祝い式」と名付けたセレモニーの場をもうけ、母が花嫁の頭部に綿帽子を被せ花嫁の装いの最後の仕上げを母が行う。このセレモニーによって家族の絆が深まる。
【図面の簡単な説明】
【０００６】
【図１】本考案の綿帽子を示す正面の図である。
【図２】本考案の綿帽子を示す側面図である。
【図３】本考案の背面図（刺繍の位置）である。
【図４】本考案の綿帽子をケープとして使用する場合の襟の部分を示す図である。
【図５】本考案に用いるクリップを示す正面図である。
【図６】本考案に用いるクリップを示す背面図である。
【本考案を実施するための形態】
【０００７】本考案を実施するための形態を図１〜図４を参照しながら説明する。
図１は本考案の綿帽子の正面図であり、図２は本考案の綿帽子の側面図である。図３に示すように、本考案の綿帽子には花嫁の名前、挙式日が刺繍されている。図４は本考案の綿帽子の上部のカーブした部分を折ることにより襟の形が形成される。この綿帽子に付属のリボン付きクリップを左右の襟下に留めることにより、新生児用のケープが形成される。
【０００８】リボン付きクリップについては図５、図６を参照してさらに詳しく説明する。クリップの寸法は長さ１７ｍｍ、幅８ｍｍでクリップの蝶番の部分に紐を通す穴あきの金具を備えている。リボンの大きさは３２ｍｍ、幅は１７ｍｍである。クリップとリボンは接着剤で固定されている。また、クリップの蝶番の部分にある穴あき金具には２５０ｍｍの紐を通す。ケープとして使用する際は、リボン付きクリップを２個使用し、左右の紐を結んでケープを安定させる。
【符号の説明】
【０００９】１  綿帽子本体
２  刺繍の位置
３  リボン
４  紐
５  クリップ
６  クリップの蝶番の部分にある穴あき金具
【図１】
0003166147.tif 000003
【図２】
0003166147.tif 000004
【図３】
0003166147.tif 000005
【図４】
0003166147.tif 000006
【図５】
0003166147.tif 000007
【図６】
0003166147.tif 000008
【手続補正書】
【提出日】平成22年11月26日(2010.11.26)
【手続補正１】
【補正対象書類名】実用新案登録請求の範囲
【補正対象項目名】請求項２
【補正方法】変更
【補正の内容】
【請求項２】
クリップを設けたことを特徴とする請求項１に記載の綿帽子は、クリップを設けることにより、お宮参り用のケープとして使用できることを特徴とする請求項１に記載の綿帽子。
(57)【要約】      （修正有）【課題】成型による積層構造で、六角又は八角面により接地熱溶着面を広く、網状の強度を上げ又、開孔率を上げ、透水性を高めるネットパイプ材を提供する。【解決手段】ネットパイプ材の材質は、合成樹脂即ちプラスチック材で、コイル繊維條１１と円周巻き接続環１２とを相互に積み重ね、積層構造に相互熱融着した。積層構造６に接合することで、表面開孔率を上げ透水性を高める構造材である。従来の材質は金属を使用するため重く、腐食、錆びの発生、強度上表面開孔率が低く、有孔管の穿孔数を抑えていた。本ネットパイプ材は立体積層構造６により空隙率や、積層空間により暗渠排水効果も高い。しかもネット状のため従来のパイプと違い曲げ強度も強く、弾力に富み多孔空隙６を保ち、座窟による液体残留がなく、軽い、錆びない加重耐圧に耐える強靭さを持つ利点がある。【選択図】図４
0003166148.tif 000002
【実用新案登録請求の範囲】
【請求項１】
ノズルから吐出した樹脂繊條は、コイル状に複数の積層した円環を形成し、前記複数の円環上を該円環の円周方向に前記樹脂線條で熱融着し、且つ前記円環と前記接続環を同一繊條で構成したことを特徴とするネットパイプ材。
【請求項２】
請求項１記載ネットパイプ材の外周面をフィルターで覆ったことを、特徴とするネットパイプ材。
【請求項３】
前記樹脂繊條の断面形状が六角形状又は、八角形状であることを特徴とする、請求項１又は２記載のネットパイプ材。
【考案の詳細な説明】
【技術分野】
【０００１】  熱可逆性合成樹脂を加熱溶融して六角又は八角形状のノズルより押出し、繊維状に吐出したものをコイル及び渦巻き状に成型を相互に繰返し、積層構造を円筒立体構造一体化をなし、繊維状の相互接点を熱溶着して成型したネットパイプ材である。
【背景技術】
【０００２】  従来は原料プラスティックの円筒形パイプは、強度の関係から穿孔数量に制限があり、開孔率や、水の透過又は透水率が低い。
【非特許文献】
【０００３】  従来のドレーン材は円筒パイプに穿孔を開け多形状ですが、開発したネットパイプ材は積層構造のネット有孔開孔率の高い、円筒形状を特徴としている。
【考案の概要】
【考案が解決しようとする課題】
【０００４】  成型による積層構造で、六角又は八角面により接地熱溶着面を広く、網状の強度を上げ又、開孔率上げ、透水性を高めることが課題です。
【課題を解決するための手段】
【０００５】  ネットパイプ材は、熱可逆性合成樹脂を加熱溶融してノズル１０から六角又は八角状７、により押出し、繊維状に吐出したものを積層構造の編み目形状として積み重ね、繊條相互の熱融着により立体開孔率を高める。【０００６】  ネットパイプ材の強度を上げるため、ノズル１０より吐出する繊維断面形状は六角型又は、八角型形状７の熱溶着接着面の接点を多くして、積層構造７，８，１１，１２の強度を高める。
【考案の効果】
【０００７】  ネットパイプ材を相互接点を溶着成型での積層構造９、即ちトラスト立体型、鉄骨構築の一体化１３、７，８にすることで全体の強度と透水性の効果を高める。【０００８】  排水促進効果は、ネットパイプ材を地下土中に横型、縦型、に埋め込みことで軟弱地盤の対策及び地震発生時における排水促進により、過剰間隙水圧の抑制効果により液状化現象が防げる。
【図面の簡単な説明】
【０００９】
【図１】  ネットパイプ材要部全体図である。
【図２】  ネットパイプ材の断面図である。（切断図ｂ−ｂ）
【図３】  ネットパイプ材吐出繊條断面図である。
【図４】  ネットパイプ材本体断面図と説明図（切断図ａ−ａ）
【図５】  格子吐出繊條構造拡大図である。
【図６】  ネットパイプ材本体にフィルターの装着図
【考案を実施するための形態】
【００１０】  熱可逆性合成樹脂を加熱溶融してノズル１０より押出し、繊維断面は図３にある。図３の繊維状断面を吐出したものをコイル状に、積層構造６、９で一体円筒型形状に積み重ね、多孔繊維形状の相互接点を成型の段階で、熱融着して製品化する。
【実施例】
【００１１】  図面１、従来は熱融着の箇所が円形のため接点が１点となるため、強度的に弱いという欠点があった。ネットパイプ材は積層構造図６、１３にすることで強度と透水性の増加が図れた。【００１２】  ノズル１０から厚み３ｍｍ〜５ｍｍ程度の繊維状の樹脂糸材又は樹脂線材９を吐出する。この糸材又は線材を円筒型に添ってコイル状に注入する１１、工法を円環といい、円周に添って円形に注入する工法を接続環１２、といい、相互に繰返しネットパイプ材１３、を積層構造成とする。【００１３】  図６（１）は、完成したネットパイプ材１３、を土中埋設した場合、細かい土砂の流入を防ため、ネットパイプ材の外側面にフィルター１４，１５（粗網目又は細網目）で包み付け途中図６（２）、１５です。又、完了図面は図６（３）、１４で示した。【００１４】  耐久、耐圧性に優れ、水に浮く程度に軽く、曲げ施工性、作業性も良い。
【産業上の利用可能性】
【００１５】  砂礫湿度の湧き水の処理、道路又は工事現場の軟弱地盤の透水や透過による水抜き処理に使用する。現位置土壌汚染の安定化工法に使用し、又重金属等の汚染土壌の浄化洗浄工法に使用する。又地震対策用の液性化現象の防止工法に使用する。
【符号の説明】
【００１６】  １  ネットパイプ材本体全体図
２  ネットパイプ材側面図
３  ネットパイプ材の上面図
４  ネットパイプ材横側切断面図（切断面ｂ−ｂ）
５  吐出繊條円環と接続環の八角形切断面図
６  コイル状円環繊條と接続環繊條の積層構造拡大部分図
図１（切断面ａ−ａ）
７  円環繊條の積層構造１１、切断面拡大図
８  接続環繊條の積層構造横面１２、拡大図
９  ノズルからの繊條吐出状態
１０  繊條吐出ノズル
１１  繊條ノズルよりコイル状円環吐出図
１２  繊條ノズルよりの接合環吐出図
１３  ネットパイプ材本体
１４  ネットパイプ材にフィルター装着完成図
１５  ネットパイプ材にフィルター装着中図
【図１】
0003166148.tif 000003
【図２】
0003166148.tif 000004
【図３】
0003166148.tif 000005
【図４】
0003166148.tif 000006
【図５】
0003166148.tif 000007
【図６】
0003166148.tif 000008
(57)【要約】      （修正有）【課題】水滴の拭き取り作業を容易にすることで洗車など洗浄作業の効率を向上させる拭き取り用具を提供する。【解決手段】布やセーム革もしくはこれらと類似した合成繊維などで作られたタオルなどの拭き取り用具の一辺または任意の数辺にゴムや合成樹脂などの丸棒またパイプなどを心材として取り付けるかまたは縫い込むことで、拭き取り用具の一辺または任意の数辺を棒状にして変形を解消または抑制し、拭き取り用具の実作業面積を広く確保して水滴の吸収または拭き取るための作業効率を高めることを目的とする。拭き取り用具を固定して変形を解消する方法としては、棒状の器具を心材として用いる方法の他にも、拭き取り用具自体の一辺または任意の数辺を丸めるなどして拭き取り用具自体の一部を棒状に加工しても良い。【選択図】図１
0003166144.tif 000002
【実用新案登録請求の範囲】
【請求項１】
布やセーム革もしくはこれらと類似した合成繊維などで作られたタオルなどの拭き取り用具の一辺または任意の数辺に形状維持部品を取り付けることで、水滴およびその他の液体の拭き取り作業の効率を向上させることを特徴とした拭き取り用器具。
【請求項２】
布やセーム革もしくはこれらと類似した合成繊維などで作られたタオルなどの拭き取り用具の一辺または任意の数辺に形状維持加工を施すことで、水滴およびその他の液体の拭き取り作業の効率を向上させることを特徴とした拭き取り用器具。
【考案の詳細な説明】
【技術分野】
【０００１】  本考案は、水滴および液体の拭き取り作業効率の向上を目的とした拭き取り用具に関する。
【背景技術】
【０００２】  水滴の拭き取りに使用される従来の洗車用タオルなどの拭き取り用具は、吸水性の高い素材や傷がつきにくい素材などが開発されることがあったが、作業効率の良い形状に改良されることがなかった。【０００３】  洗車などの水滴を布やセーム革もしくはこれらと類似した合成繊維などで作られたタオルなどの拭き取り用具を用いて一人で拭き取り作業を行う場合、拭き取り用具を一定の大きさに折り畳んで使用するか、または拭き取り用具の両端を丁寧に広げながら作業を行う必要があり、水滴を吸収または拭き取るための作業効率が低かった。【０００４】  また、タオルなどの拭き取り用具を折り畳んで水滴除去作業を短時間に行うためには、拭き取り用具を車両塗装面に対して横方向に移動して拭き取り作業を行う必要があるため、拭き取り用具の材質や拭き取り用具に付着する埃などの状態によって車両塗装面に微細な擦り傷が残る問題を解消できなかった。
【考案の概要】
【考案が解決しようとする課題】
【０００５】  水滴の拭き取り作業を容易にすることで洗車など洗浄作業の効率を向上させる拭き取り用具の提供を課題とする。
【課題を解決するための手段】
【０００６】  本考案は、布やセーム革もしくはこれらと類似した合成繊維などで作られた拭き取り用具の一辺または任意の数辺にゴムや合成樹脂などの丸棒またはパイプなどの芯材を取り付けるかまたは縫い込むことで、タオルの一辺を棒状にして変形を解消または抑制し、拭き取り用具の実作業面積を広く確保して水滴の吸収または拭き取るための作業効率を高めることを目的とする。【０００７】  タオルなどの拭き取り用具の一辺または任意の数辺を固定して変形を解消する方法としては、棒状の器具を用いる方法の他にも、拭き取り用具自体の一辺または任意の数辺を丸めるなどしてタオル自体の一部を棒状に加工する方法でも良い。
【考案の効果】
【０００８】  タオルなどの拭き取り用具の一辺または任意の数辺を棒状として変形を解消または抑制することで、拭き取り用具が常に広がった状態での作業が可能になることで、車体などの塗装の擦り傷の原因となっている拭き取り用具の横方向による拭き取り作業を行う必要がなくなり、広げた拭き取り用具の全体を車体などに軽く押し付けて吸い取る方法での水滴の除去が簡単にできるようになることから、水滴除去作業の効率を高めるとともに、洗車時などにおける塗装擦り傷の解消または軽減が可能になる。【０００９】  また、これまでは一人での洗車などの水滴除去作業では作業効率の問題で使用が困難であったバスタオル程度の広い面積の拭き取り用具を一人での洗車水滴除去作業に用いる事が可能になることで、水滴除去作業の作業効率が大きく向上し、結果として作業全体の効率が向上する。
【考案を実施するための形態】
【００１０】  布やセーム革もしくはこれらと類似した合成繊維などで作られた拭き取り用具の一辺または任意の数辺にゴムや合成樹脂などの丸棒またはパイプなどを取り付けるかまたは縫い込んだり、拭き取り用具自体の一辺または任意の数辺を丸めるなどして拭き取り用具の一辺または任意の数辺を棒状に成形する。
【図面の簡単な説明】
【００１１】
【図１】本考案に係る洗車用タオル
【図１】
0003166144.tif 000003
【手続補正書】
【提出日】平成22年11月24日(2010.11.24)
【手続補正１】
【補正対象書類名】実用新案登録請求の範囲
【補正対象項目名】請求項２
【補正方法】変更
【補正の内容】
【請求項２】
布やセーム革もしくはこれらと類似した合成繊維などで作られたタオルなどの拭き取り用具の一辺または任意の数辺を丸めるなどして棒状に形成し、変形を解消または抑制することで水滴およびその他の液体の拭き取り作業の効率を向上させることを特徴とした拭き取り用器具。
(57)【要約】      （修正有）【課題】水洗用トイレタンクに、洗浄芳香剤を使用するとき、洗浄芳香剤が半分程度水に浸かる様にして、洗浄芳香剤の溶け込み量を低減するトイレ洗浄芳香剤固定容器を提供する。【解決手段】トイレタンクの内壁上部の止水用浮き玉に接しない所に、洗浄芳香剤を載せる容器を取り付けて、その容器の中に洗浄芳香剤を載せ、水中に下半分程度浸かるよう、ハシゴ型固定具の横棒３−１と固定容器４の上部にある止めフック４−１で上下調整して、セットする。これにより、タンクの水中に全て浸かることがなく、その浸かった部分だけが溶ける。そして、溶けた部分に、上部の溶けてない洗浄芳香剤が自然と下りて、水に浸かった分だけ随時溶けるの繰り返しとなる。【選択図】図１
0003166146.tif 000002
【実用新案登録請求の範囲】
【請求項１】
水洗用トイレの水槽タンクの底に、洗浄芳香剤を入れるのでは無く、内壁の上部にある、止水用浮き球と接しないところに、固定具を取り付けて、そのタンクの水位と調節し、必要以上の洗浄芳香剤の無駄な溶けを無くす、トイレ洗浄芳香剤固定容器。
【考案の詳細な説明】
【技術分野】
【考案の詳細な説明】
【０００１】水洗用トイレタンクの底に、洗浄芳香剤を沈めて使用する家庭が多い。
【背景技術】
【０００２】  従来は、そのタンクに、固形型の洗浄芳香剤を底に沈めて、タンクの水を流すたびに、その溶けた洗浄芳香剤が一緒に便器に流れ出てくる仕組みである。
【考案の開示】
【考案が解決しようとする課題】
【０００３】  本考案は、そのタンクの底に、洗浄芳香剤を、四六時中沈めている為、必要以上の無駄な溶けが多く、その為に早く無くなってしまう。その無駄を少しでも減らし、経済的にしようとするものである。又、タンクの底にある止水弁に、洗浄芳香剤がひっかかり、水が流れっぱなしになることがよくあるので、これも解決しようとするものである。
【課題を解決するための手段】
【０００４】  本考案は、その無駄を少しでも無くし、経済的にしようとするものであるから、タンクの底にそのまま沈めるのではなく、内壁上部の止水用の浮き玉に接しない所に、洗浄芳香剤を載せる容器を取り付けて、その容器の中の洗浄芳香剤と、水面とを調節して、洗浄芳香剤が、下半分程度水に浸かるようにセットすれば良いと考えられる【０００５】  その為の、固定容器の形状やセット方法の一実施例を示す。  ▲１▼タンクの外壁上部から内壁上部に、軟質の金属平板１をその型にあわせて自在に折り曲げて、その金属平板と一体形金属棒２の先端と、固定容器を支えるハシゴ型固定具の上部○部分とを結ぶようにして連結しセットする。図（Ｂ）  ▲２▼平板と連結の金属棒２に、２−３  ３−２が無く始めからハシゴ型３と連がれていて、その平板で、タンク上部の形に合わせて自在に折り曲げてセットする。図（Ｃ）＊上部を平板１にしたのは、タンクに蓋を被せるとき、○形であれば、その○が邪魔をして、蓋をしっかりと被せることが出来ないと考えて平板にしたのである。＊タンクの形状が、各メーカーによっては、構造が一定していない為に、上手く構造に合わせて取り付けが出来ないこともあるので、自在に折り曲げの出来る軟質の金属平板にして、簡単にその形状に添って、自在に折り曲げの出来るようにしたのである。【０００６】  ハシゴ型固定具の訳は、各トイレタンクの水面の位置が一定でないので、ハシゴ型に設けてある上下段の横棒に、固定容器に載せた固形型洗浄芳香剤を、下半分程度水に浸かるよう４−１で調整する為である。それ故に、固形型洗浄芳香剤は、水面との調整により、水中に全て浸かることが無く、水に浸かった分だけが溶けるのである。そして溶けた部分に、上から溶けていない固形型洗浄芳香剤が自然と下りて、水に浸かった分だけが随時溶けるのくり返しである。【０００７】  固定容器の材質は、棒状やプラスチック等でも、錆の出ないものであれば全く差し障りは無い。側面が板等の場合でも、底面は、通水の関係で板状より網状がよい。底面の網目の大きさは、１０ミリ〜２０ミリくらいが良い。理由は、洗浄芳香剤が溶け切るまで網目に残るため。
【考案の効果】
【０００８】  本考案の目的は、洗浄芳香剤が必要以上に溶けるのを避けて、経済的で無駄を無くす為なのである。その為、洗浄芳香剤をタンクに入れる際、従来のような、全体を水の底に沈めるのではなく、洗浄芳香剤を固定容器に載せ、水に浸かっている下半分から、次第に溶けるのであるから経済的と考える。【０００９】
【図面の簡単な説明】
【図１】本考案の容器の一実施例を図面で説明する。（Ａ）タンク内壁上部（軟質平板、金属棒取り付け）斜視図（Ｂ）（Ａ）にハシゴ型固定具取り付け斜視図（Ｃ）▲２▼に洗浄芳香剤固定容器４取り付け斜視図（Ｄ）タンク上部断面図（Ｅ）（Ａ）１．軟質平板  ２．金属棒先端拡大図（Ｆ）ハシゴ型上下段側面図（Ｇ）ハシゴ型上下段斜視図（Ｈ）固定容器斜視図（Ｉ）（Ｈ）の側面図（Ｊ）（Ｈ）の正面図（Ｋ）（Ｊ）の底面図（Ｌ）（Ｊ）に洗浄芳香剤挿入正面の断面図（Ｍ）（Ｌ）の側面図
【符号の説明】
【００１０】ａ      タンク上部断面図ｂ      ａの外壁図ｃ      ａの内壁図Ｃ−１  ａの天場図Ｃ−２  ａの内壁上部下がり壁図Ｃ−３  ｃの天場図１      軟質平板、金属棒先端一体形自在に折り曲げ斜視図２      金属棒先端折り曲げ図２−３  ２と３−２結び部分図３      ハシゴ型固定具図３−１  ３の横棒３−２  ３の○形先端図４      固定容器図４−１  固定容器と３−１の止フック５      ４の網状底面図６      固形洗浄芳香剤断面図
【図１】
0003166146.tif 000003
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
水洗トイレ用の水槽タンクの上部に前記水槽タンクの型に合わせて取り付ける、軟質金属平板と、前記軟質平板に連結している軟質金属棒と前記軟質金属棒と一体となってハシゴ型固定具を前記水槽タンクの内壁に取り付け、前記ハシゴ型固定具横棒各段と上部にフックを設けた洗浄芳香剤を載せる固定容器とで洗浄芳香剤が半分ほど水に浸かるように上下調節が出来ることを特徴とするトイレ洗浄芳香剤固定容器。
(57)【要約】      （修正有）【課題】文房具等が必要とするときに直ぐに取り出せ、収納の場合は一種類一個の溝にもどすため文房具の有無が一目瞭然となる整理整頓トレーを提供する。【解決手段】文房具等を収納する引出しのサイズに合わせた硬質プラスチックのトレー容器に個々の文房具等の形に応じてその形に成型した溝と、指を挿入して該文房具等を取り出すための溝をつくり、該文房具等を収納できるようにする。色の区別があるもの、形が似ているものは識別シールを貼って分かりやすくすることもできる。「赤ボールペン」、「シャープペンシル」等。【選択図】図３
0003166150.tif 000002
【実用新案登録請求の範囲】
【請求項１】
机に一種類一個の文房具の形の溝を成型したトレー容器を備えつけたも
のである。
【請求項２】
学童、学生、社会人によって文房具等の種類に対応したトレー容器のバリエーションがある。
【請求項３】
整理整頓トレーの下には新品の文房具の在庫を置くことのできるトレー容器を置いく。
【請求項４】
色違いの場合は識別シールを貼り区別する。
【考案の詳細な説明】
【技術分野】
【０００１】
本考案は、文房具等が必要とするときに直ぐに取り出せ、収納の場合は一種類一個の溝にもどすため文房具の有無が一目瞭然である。
【背景技術】
【０００２】
従来、色々な文房具が一緒になっているため、雑然としていて探すのに非常に不便があった。
【考案の概要】
【考案が解決しようとする課題】
【０００３】
必要な時、直ぐにとりだせ、収納するときは一種類一個のため有無の確認が簡単にできる。
【課題を解決するための手段】
【０００４】
上記課題を解決するために、文房具等を収納する引出しのサイズに合わせたトレー容器に文房具等の形を成型した溝をつくり収納できるようにする。
【０００５】
そして、上記一連の新形態は、机の引出しに簡単に装着ができる。文房具等の外形を成型した硬質プラスチックのトレー容器を引出しに入れて使用する。
【考案の効果】
【０００６】
本考案は、上記のとおりに構成されているので次の効果を奏する。
【０００７】
請求項1については、探すという作業が無くなり作業効率のアップにつながる。
【０００８】
請求項2については、年齢や職種に応じたトレー容器を選択できて学童、学生については整理整頓を習慣づけることができる。
【０００９】
請求項3については、補給が簡単である。
【００１０】
請求項4については、色の区別があるもの、形が似ているものは識別シールを貼って分かりやすくする。「赤ボールペン」、「シャープペンシル」等。
【図面の簡単な説明】
【００１１】
【図１】図１は上部トレー容器（一種類一個）と下部トレー容器（在庫用）の正面図          である。（実施例1）
【図２】図２は上部トレー容器（一種類一個）と下部トレー容器（在庫用）の          側面図である。（実施例1）
【図３】図3はトレー容器を机の引出しにセットされたところである。
【符号の説明】
【００１２】
A.  
上部トレー容器（一種類一個）
B.  
指を挿入し取出すときの溝
C.  
ホッチギスの溝
D.  
消しゴムの溝
E.  
シャープペンシルの溝
F.  
赤ボールペンの溝
G.  
黒ボールペンの溝
H.  
定規の溝
I.  
赤マジックの溝
J.  
黒マジックの溝
K.  
ホッチギス針ケースの溝
L.  
下部トレー容器（在庫用）
M.  
文房具の在庫用溝
N.  
机の引出し
O.  
識別シール
【図１】
0003166150.tif 000003
【図２】
0003166150.tif 000004
【図３】
0003166150.tif 000005
【手続補正書】
【提出日】平成22年12月9日(2010.12.9)
【手続補正１】
【補正対象書類名】実用新案登録請求の範囲
【補正対象項目名】全文
【補正方法】変更
【補正の内容】
【実用新案登録請求の範囲】
【請求項１】
机に一種類一個の文房具の形の溝を成型したトレー容器を備えつけるこ
とを特徴とする整理整頓トレー。
【請求項２】
学童、学生、社会人によって文房具等の種類に対応したトレー容器のバリエーションがあることを特徴とする請求項1記載の整理整頓トレー。
【請求項３】
整理整頓トレーの下には新品の文房具の在庫を置くことのできるトレー容器を置くことを特徴とする請求項1記載の整理整頓トレー。
【請求項４】
色違いの場合は識別シールを貼り区別することを特徴とする請求項1記載の整理整頓トレー。
(57)【要約】      （修正有）【課題】差し替えることができるうす板まな板を提供する。【解決手段】１枚のうす板の目は縦に、もう１枚のうす板の目は横斜め４５度にし、２枚のうす板を張り合わす。【選択図】図１
0003166145.tif 000002
【実用新案登録請求の範囲】
【請求項１】
うす板２枚を張り合わす時に、１枚のうす板の目は縦に、もう１枚のうす板の目は横斜め４５度にし、２枚のうす板を張り合わす事によりねじれ予防と、傷が付きにくいうす板まな板。
【請求項２】
うす板まな板の表と裏も使用でき、古くなると使い捨てが出来、常に新しいうす板まな板を簡単に差し替えする事が出来るまな板。
【考案の詳細な説明】
【技術分野】
【０００１】  本考案はうす板まな板に関するものである。
【背景技術】
【０００２】  従来のまな板の平面が傷つく事が多く、これを解消するためうす板を何枚か重ね合わせ上面のうす板をめくる事により新しい平面が出来、めくるまな板が出回っていた。
【考案の概要】
【考案解決しようとする課題】
【０００３】  まな板を使用する事により平面に傷が出来，また古くなると衛生的でなく問題点が大であった。
【課題を解決するための手段】
【０００４】  うす板まな板の取付板１差し込み板２を取付板１に圧着する事によりうす板まな板をさしこみ、固定し、止木４にて安定する構造である。
【考案の効果】
【０００５】  考案によると、うす板まな板である。
傷がつき古くなると使い捨てする事が出来、常に新しいうす板まな板を簡単に差し替える事が出来、うす板まな板である従来のまな板の平面が平らにするには非常に問題点があった。それを取り除くには、差し替える事の出来るうす板まな板が解決するのである。
【本考案実施の形態】
【０００６】  考案の実施の形態について説明する。
取付板１にさしこみ板２を圧着、うす板まな板３をさしこみ板２にさしこみ、うす板まな板３を取付板１にて固定し止木４にて安定する構造である。
【実施例】
【０００７】  うす板まな板３を新しいうす板まな板と差し替え出来る事も可能である。
（図示せず）
【図面の簡単な説明】
【０００８】
【図１】  考案のまな板の斜視図である。
【図２】  考案の断面図である。
【図３】  考案の平面図である。
【図４】  考案の側面図である。
【符号の説明】
【０００９】１．  取付板
２．  さしこみ板
３．  うす板まな板
４．  止木
５．  ゴムパッキン
６．  うす板まない板の側面の止板
【図１】
0003166145.tif 000003
【図２】
0003166145.tif 000004
【図３】
0003166145.tif 000005
【図４】
0003166145.tif 000006
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
うす板２枚を張り合わす時に、１枚のうす板の目は縦に、もう１枚のうす板の目は横斜め４５度にし、２枚のうす板を張り合わす事によりねじれ予防と、傷が付きにくいうす板まな板。
(57)【要約】      （修正有）【課題】少しの力で簡単に小さく潰せて、コンパクトに保管出来、リサイクル回収に出す回数も減るアルミ缶潰し補助ハサミを提供する。【解決手段】アルミ缶を床に置き、アルミ缶側面の中央部をハサミで挟み、上部から足で（スリッパ、又は、靴を履いた状態）垂直に踏むと同時にハサミに少し力を入れるだけで、簡単に小さく潰す事が出来、リサイクル回収に出すまでの間の保管場所の確保が簡単となり、リサイクル回収に出す回数も減らす事が出来る。【選択図】図３
0003166149.tif 000002
【実用新案登録請求の範囲】
【請求項１】
アルミ缶の中身を飲んだ後、リサイクル回収に出すまでの間、嵩張る事により、家庭内で保管場所に苦労していたが、アルミ缶側面の縦の中央部をハサミで挟み、上部から足で（靴、又は、スリッパを履いた状態）垂直に踏むと同時にハサミ少し力を入れるだけで、少しの力で簡単にアルミ缶が潰れ小さくなり、リサイクル回収に出すまでの間の保管場所の確保の苦労が少なくなり、リサイクル回収に出す回数も減る。
【考案の詳細な説明】
【技術分野】
【０００１】  本考案は、アルミ缶を簡単に潰す事に関する。
【背景技術】
【０００２】  従来、飲んだ後のアルミ缶は、リサイクル回収に出すまでの間、保管に嵩張り、家庭内での適切な保管場所に苦労している。
【考案の概要】
【考案が解決しようとする課題】
【０００３】  飲んだ後のアルミ缶を小さく潰し、リサイクル回収に出すまでの間、保管の嵩張りを無くす。
【課題を解決するための手段】
【０００４】  アルミ缶を床に置き、アルミ缶の側面の中央部をハサミで挟み、上部から足で（スリッパ、又は、靴を履いた状態）垂直に踏むと同時にハサミにも少し力を入れる事により、簡単に小さく潰れ、飲んだ後のアルミ缶を小さくする。
【考案の効果】
【０００５】  上述したように、アルミ缶側面の中央部を挟んだハサミの突起に上部からの力が集中し、少しの力で簡単に小さく潰せて、コンパクトに保管出来、リサイクル回収に出す回数も減る。
【図面の簡単な説明】
【０００６】
【図１】  補助ハサミを閉じた状態
【図２】  補助ハサミを開けた状態
【図３】  補助ハサミでアルミ缶を挟んだ状態
【考案を実施するための形態】
【０００７】  図１を開け、図２の状態にし、アルミ缶側面の縦の中央部を図３のように挟み、上部から足で（スリッパ、又は、靴を履いた状態）垂直に踏むと同時に、ハサミにも少し力を入れる。
【実施例】
【０００８】  アルミ缶は本考案により簡単に小さく潰れ、リサイクル回収に出すまでの間の保管場所に困らなくなり、リサイクル回収に出す回数も減る。
【産業上の利用可能性】
【０００９】  家庭内で、リサイクル回収に出すまでの間の保管に場所を取らなくなる事と、リサイクル回収に出す回数が減り利用の可能性が高い。
【図１】
0003166149.tif 000003
【図２】
0003166149.tif 000004
【図３】
0003166149.tif 000005
【手続補正書】
【提出日】平成22年11月22日(2010.11.22)
【手続補正１】
【補正対象書類名】実用新案登録請求の範囲
【補正対象項目名】全文
【補正方法】変更
【補正の内容】
【実用新案登録請求の範囲】
【請求項１】
ハサミの形状をしており、ハサミの刃の部分を厚く切れなくし、間隔を空けて突起を付け、突起部がアルミ缶に直接あたるようにした、アルミ缶潰し補助ハサミ。